(57)【要約】      （修正有）【課題】できるだけ周囲を汚すことない熱媒体を用いるとともに、熱媒体を発生させる部分の持ち運びを容易にして、作業性を向上させ、汎用性の向上を図る害虫駆除装置を提供する。【解決手段】水Ｗを収容するとともに水Ｗと発熱反応し水蒸気を発生させる発熱物質Ｈを収容するタンク１０と、タンク１０に設けられタンク１０内の水蒸気を吐出する吐出口部２０と、吐出口部２０に一端が接続される可撓性のホース２３と、ホース２３の他端に接続され害虫に向けて水蒸気を噴射可能な水蒸気噴射体３０とを備えた。発熱物質Ｈは、タンク１０に収納可能な大きさに形成されるとともに水Ｗが通過可能なシート材料で形成された収納袋Ｆに収納した。タンク１０は、収納袋Ｆを出し入れ可能な開口１１を有した断熱性の容器１２と、容器１２の開口１１を開閉し閉時に容器１２を密閉する断熱性の蓋１３とを備えて構成した。【選択図】図１
0003223307.tif 000002
【実用新案登録請求の範囲】
【請求項１】
水を収容するとともに前記水と発熱反応し水蒸気を発生させる発熱物質を収容するタンクと、前記タンクに設けられ前記タンク内の水蒸気を吐出する吐出口部と、前記吐出口部に一端が接続される可撓性のホースと、前記ホースの他端に接続され害虫に向けて水蒸気を噴射可能な水蒸気噴射体とを備えたことを特徴とする害虫駆除装置。
【請求項２】
前記発熱物質を、前記タンクに収納可能な大きさに形成されるとともに水が通過可能なシート材料で形成された収納袋に収納したことを特徴とする請求項１記載の害虫駆除装置。
【請求項３】
前記タンクを、前記収納袋を出し入れ可能な開口を有した断熱性の容器と、前記容器の開口を開閉し閉時に前記容器を密閉する断熱性の蓋とを備えて構成したことを特徴とする請求項１または２記載の害虫駆除装置。
【請求項４】
前記タンクに、前記タンクを携帯するための携帯部を備えたことを特徴とする請求項３記載の害虫駆除装置。
【請求項５】
前記水蒸気噴射体を、水蒸気を噴射する噴射口を有したノズルと、前記ノズルを支持し前記ノズルに至る水蒸気の通路を有するとともに把持部を有した本体とを備えて構成したことを特徴とする請求項１乃至４何れかに記載の害虫駆除装置。
【請求項６】
前記本体に、前記通路を開閉する開閉機構を設けるとともに、前記タンクに、前記開閉機構が前記通路を閉にしているときに前記タンク内の内圧が所定以上になったとき前記タンク内の水蒸気を外部に逃がす逃がし弁を設けたことを特徴とする請求項５記載の害虫駆除装置。
【請求項７】
前記ノズルを管状に形成し、前記噴射口を前記ノズルの外周に複数設けたことを特徴とする請求項５または６記載の害虫駆除装置。
【考案の詳細な説明】
【技術分野】
【０００１】
本考案は、例えばスズメバチ等の害虫を駆除する際に使用する害虫駆除装置に係り、特に、殺虫剤を使用しないで熱媒体によって害虫を駆除することのできる害虫駆除装置に関する。
【背景技術】
【０００２】
従来、この種の害虫駆除装置としては、例えば、特許第５５８６８０２号公報（特許文献１）に掲載されたものが知られている。
この害虫駆除装置は、主に軒下などに作られたスズメバチの巣等の蜂の巣に対して熱媒体としての熱水を散布して、この熱水により蜂を殺傷して駆除する装置であり、地面に設置される台車に、水を入れるタンクと、タンク内の水を加温する熱源と、熱源によって加熱された熱水を送給するポンプとを搭載するとともに、ポンプに可撓性のホースを接続し、このホースの先端に熱水を噴射するノズルを設けて構成されている。
【０００３】
そして、この害虫駆除装置を使用して、例えば、軒下に作られたスズメバチの巣等の蜂の巣に生きる蜂を駆除するときには、ホースを長い竿に付設し、この竿を作業者が持って操作して、ホース先端のノズルを蜂の周囲に位置させ、あるいは、巣に差込み、ポンプを駆動して熱水を送給し、ノズルから熱水を噴射して蜂の巣内の蜂を殺傷するようにしている。熱水を用いるので、殺傷された蜂の成虫や幼虫には殺虫剤が付着することがないので、例えば食用等に利用する場合には安心が得られるとともに、環境上も好ましい。
【先行技術文献】
【特許文献】
【０００４】
【特許文献１】特許第５５８６８０２号公報
【考案の概要】
【考案が解決しようとする課題】
【０００５】
ところで、この従来の害虫駆除装置にあっては、熱媒体が熱水なので、熱水が落下して周囲を汚すという問題があった。また、熱水を送給するポンプを備えなければならないので、それだけ、台車の重量が増して大型化することから、台車の持ち運びが煩雑になっており、作業性を損ねているという問題があった。特に、ポンプが電動で熱源も電熱型の場合には電気配線が必要になり、作業スペースが狭いようなところでは、台車を設置できないところもあり、汎用性に劣る。
【０００６】
本考案はこのような問題点にかんがみてなされたもので、熱媒体としてできるだけ周囲を汚すことのない熱媒体を用いるとともに、熱媒体を発生させる部分の持ち運びを容易にして、作業性を向上させ、汎用性の向上を図った害虫駆除装置を提供することを課題とする。
【課題を解決するための手段】
【０００７】
このような目的を達成するための本考案の害虫駆除装置は、請求項１の考案にあっては、水を収容するとともに前記水と発熱反応し水蒸気を発生させる発熱物質を収容するタンクと、前記タンクに設けられ前記タンク内の水蒸気を吐出する吐出口部と、前記吐出口部に一端が接続される可撓性のホースと、前記ホースの他端に接続され害虫に向けて水蒸気を噴射可能な水蒸気噴射体とを備えた構成としている。
【０００８】
発熱物質としては、例えば、塩化カルシウム，塩化マグネシウム，酸化カルシウム（生石灰），酸化マグネシウム，ゼオライト等の無機塩類を用いることができる。これらから２以上選択して組み合わせて用いることができる。また、例えばアルミニウム等の添加剤を用いても良い。発熱物質はこれらに限定されないが、可能な限り有害物質が発生しないものが良い。
【０００９】
水蒸気は、吐出されると徐々に冷却されて降温し、水蒸気の一部が水滴に相転移する。そして、水蒸気噴射体を通じて大気中に噴射されると、水蒸気は更に膨張して減圧および降温する。これにより、外部に噴射される水蒸気は、外気よりも高温かつ飽和水蒸気であって水滴（湯気）を含む湿ったガスとなる。熱水を噴射する装置に比べて噴射される水分量は極めて少ないため、対象物を過度に濡らすことはない。
【００１０】
この害虫駆除装置を使用するときは、先ず、タンク内に発熱物質と水を入れる。これにより、発熱物質が水と発熱反応し水蒸気を発生させる。発生した水蒸気は、吐出口部から吐出され、ホースを通して水蒸気噴射体から水蒸気が噴射されるようになる。この水蒸気噴射体を操作して、水蒸気を害虫に向けて噴射させれば、害虫を殺傷することができる。
この場合、タンク内に発熱物質と水を入れるだけで熱媒体としての水蒸気を発生させることができるので、熱媒体の発生をきわめて容易に行うことができる。そして、熱媒体が水蒸気なので、従来の熱水のように下に落下して周囲を汚す事態を防止することができる。また、水蒸気を発生させる部分がタンクなので、ポンプのような重量物や電気配線がないことから、ポータブルタイプにすることができ、それだけ持ち運びが容易であり、作業性を大幅に向上させることができる。
また、ポンプのような重量物や電気配線がないので、作業スペースが狭いようなところにも容易に搬送でき、それだけ、汎用性も向上させることができる。
【００１１】
発熱物質と水との発熱反応が終息したならば、新しい発熱物質あるいは水をタンク内に入れることにより、水蒸気の発生を継続することができる。また、害虫駆除が終わったならば、タンク内から発熱物質及び水を取り出し、次に備える。
【００１２】
また、請求項２の考案は、前記発熱物質を、前記タンクに収納可能な大きさに形成されるとともに水が通過可能なシート材料で形成された収納袋に収納した構成としている。発熱物質は粉粒体が一般的な形態なので、これを収納袋に入れることから、取り扱いが容易になり、持ち運びも容易になる。
【００１３】
更に、請求項３の考案は、前記タンクを、前記収納袋を出し入れ可能な開口を有した断熱性の容器と、前記容器の開口を開閉し閉時に前記容器を密閉する断熱性の蓋とを備えて構成している。
これにより、タンク内に入れられた発熱物質及び水は密閉されるので、水蒸気が効率よく吐出口部から吐出される。また、容器及び蓋が内部を断熱するので、水蒸気の温度を高温に保持することができる。
【００１４】
更にまた、請求項４の考案は、前記タンクに、前記タンクを携帯するための携帯部を備えた構成としている。携帯部としては、例えば、タンクを持つための把手や、タンクを身体に付帯させるショルダーストラップ等で構成することができる。
これにより、作業者は、タンクを携帯しながら、水蒸気噴射体を操作できるので、害虫の状況に応じて動きやすくなり、それだけ、作業性を向上させることができる。
【００１５】
また、請求項５の考案は、前記水蒸気噴射体を、水蒸気を噴射する噴射口を有したノズルと、前記ノズルを支持し前記ノズルに至る水蒸気の通路を有するとともに把持部を有した本体とを備えて構成している。
これにより、水蒸気噴射体は、把持部を把持して操作できるので、それだけ、水蒸気噴射体の操作性を向上させることができる。
【００１６】
更に、請求項６の考案は、前記本体に、前記通路を開閉する開閉機構を設けるとともに、前記タンクに、前記開閉機構が前記通路を閉にしているときに前記タンク内の内圧が所定以上になったとき前記タンク内の水蒸気を外部に逃がす逃がし弁を設けた構成としている。
これにより、開閉機構の操作により、害虫に対して水蒸気を噴射したり停止したりすることができる。そのため、不必要に水蒸気が噴射することがなく、害虫の状況や巣の状況に合わせて蒸気を噴射できるので、それだけ、操作性を向上させることができる。水蒸気の噴射を停止しているときに、タンク内の圧力が高くなっても、逃がし弁から水蒸気を逃がしてタンク内の圧力を定圧に保持できるので、安全が図られる。
【００１７】
更にまた、請求項７の考案は、前記ノズルを管状に形成し、前記噴射口を前記ノズルの外周に複数設けた構成としている。
これにより、水蒸気の噴射口をノズルの外周に複数設けたので、ノズルの軸方向に沿って水蒸気を分散して噴射させることができる。例えば、蜂の巣の中にノズルを挿入して蜂を殺傷する場合等にはきわめて有効になる。
【考案の効果】
【００１８】
本考案の害虫駆除装置は、請求項１の考案にあっては、タンク内に発熱物質と水を入れるだけで熱媒体としての水蒸気を発生させることができるので、熱媒体の発生をきわめて容易に行うことができる。そして、熱媒体が水蒸気なので、従来の熱水のように下に落下して周囲を汚す事態を防止することができる。また、水蒸気を発生させる部分がタンクなので、ポンプのような重量物や電気配線がないことから、ポータブルタイプにすることができ、それだけ持ち運びが容易であり、作業性を大幅に向上させることができる。また、ポンプのような重量物や電気配線がないので、作業スペースが狭いようなところにも容易に搬送でき、それだけ、汎用性も向上させることができる。
【００１９】
また、請求項２の考案にあっては、発熱物質を収納袋に収納したことから、発熱物質は粉粒体が一般的な形態なので、取り扱いが容易になり、持ち運びも容易になる。
【００２０】
更に、請求項３の考案にあっては、タンクを開口を有した断熱性の容器と断熱性の蓋とを備えて構成したので、タンク内に入れられた発熱物質及び水は密閉されることから、水蒸気を効率よく吐出口部から吐出させることができる。また、容器及び蓋が内部を断熱するので、水蒸気の温度を高温に保持することができる。
【００２１】
更にまた、請求項４の考案にあっては、タンクを携帯するための携帯部を備えたので、作業者は、タンクを携帯しながら、水蒸気噴射体を操作でき、害虫の状況に応じて動きやすくなり、それだけ、作業性を向上させることができる。
【００２２】
また、請求項５の考案にあっては、水蒸気噴射体を、水蒸気を噴射するノズルと把持部を有した本体とを備えて構成したので、水蒸気噴射体を把持部を把持して操作でき、それだけ、水蒸気噴射体の操作性を向上させることができる。
【００２３】
更に、請求項６の考案にあっては、水蒸気噴射体の本体に開閉機構を設け、タンクに逃がし弁を設けたので、開閉機構の操作により、害虫に対して水蒸気を噴射したり停止したりすることができる。
そのため、不必要に水蒸気が噴射することがなく、害虫の状況や巣の状況に合わせて蒸気を噴射できるので、それだけ、操作性を向上させることができる。水蒸気の噴射を停止しているときに、タンク内の圧力が高くなっても、逃がし弁から水蒸気を逃がしてタンク内の圧力を定圧に保持できるので、安全が図られる。
【００２４】
更にまた、請求項７の考案にあっては、水蒸気の噴射口をノズルの外周に複数設けたので、ノズルの軸方向に沿って水蒸気を分散して噴射させることができる。例えば、蜂の巣の中にノズルを挿入して蜂を殺傷する場合等にはきわめて有効になる。
【図面の簡単な説明】
【００２５】
【図１】本考案に係る害虫駆除装置の一実施形態を示す分解斜視図である。
【図２】本考案に係る害虫駆除装置の一実施形態において、タンクの構成を示す断面図である。
【図３】本考案に係る害虫駆除装置の一実施形態において、水蒸気噴射体のノズルの構造を示す部分断面図である。
【図４】本考案に係る害虫駆除装置の一実施形態において、水蒸気噴射体の本体の構造を示す部分断面図である。
【図５】本考案に係る害虫駆除装置の一実施形態の使用例を示す図である。
【図６】本考案に係る害虫駆除装置において、水蒸気噴射体の別の例をその使用例とともに示す図である。
【図７】本考案に係る害虫駆除装置において、タンクの別の例を示す図である。
【考案を実施するための形態】
【００２６】
以下、添付図面に基づいて、本考案の実施の形態に係る害虫駆除装置について詳細に説明する。
図１乃至図５に示すように、本考案の実施の形態に係る害虫駆除装置Ｓは、水Ｗを収容するとともに水Ｗと発熱反応し水蒸気を発生させる発熱物質Ｈを収容するタンク１０と、タンク１０に設けられタンク１０内の水蒸気を吐出する吐出口部２０と、吐出口部２０に一端が接続される可撓性のホース２３と、ホース２３の他端に接続され害虫に向けて水蒸気を噴射可能な水蒸気噴射体３０とを備えて構成されている。
【００２７】
発熱物質Ｈとしては、例えば、塩化カルシウム，塩化マグネシウム，酸化カルシウム（生石灰），酸化マグネシウム，ゼオライト等の無機塩類を用いることができる。これらから２以上選択して組み合わせて用いることができる。発熱物質Ｈは、粉粒体に形成されている。また、例えばアルミニウム等の添加剤を用いても良い。
この発熱物質Ｈは、タンク１０に収納可能な大きさに形成されるとともに水Ｗが通過可能なシート材料で形成された収納袋Ｆに収納されている。収納袋Ｆに収納されているので、取り扱いが容易になり、持ち運びも容易になる。
実施の形態においては、例えば、酸化カルシウム（生石灰）とアルミニウム粉末を主成分とするモーリアンヒートパック（登録商標：株式会社協同製）を使用した。１袋当たりの稼働時間は約７分程度であるが、十分に水蒸気を発生させることができる。必要に応じ、２袋以上使用し、あるいは、順次追加して使用することができる。
【００２８】
タンク１０は、ポータブルタイプであり、収納袋Ｆを出し入れ可能な開口１１を有した断熱性の容器１２と、容器１２の開口１１を開閉し閉時に容器１２を密閉する断熱性の蓋１３とを備えて構成されている。
実施の形態では、図２に示すように、容器１２は、上側に開口１１を有した矩形ボックス状に形成され、ポリエチレン等の硬質樹脂で形成された外側壁１４とポリプロピレン等の硬質耐熱性樹脂で形成された内側壁１５との間にポリウレタン等の断熱材１６を介装して形成されている。
蓋１３は、容器１２の開口１１を開閉する矩形盆状に形成され、容器１２と同様に、ポリエチレン等の硬質樹脂で形成された外側壁１４とポリプロピレン等の硬質耐熱性樹脂で形成された内側壁１５との間にポリウレタン等の断熱材１６を介装して形成されている。蓋１３はヒンジ１７を介して容器１２に連結されており、閉時に周知のロック機構１８によりロックされる。
【００２９】
また、タンク１０には、タンク１０を携帯するための携帯部１９が備えられている。携帯部１９としては、例えば、タンク１０を持つための把手（持ち手）や、タンク１０を身体に付帯させるショルダーストラップ等で構成することができる。実施の形態では、容器１２の左右に掛け渡されるショルダーストラップで構成した。
【００３０】
タンク１０の一側面側に、タンク１０内の水蒸気を吐出する吐出口部２０が設けられている。吐出口部２０は、容器１２の壁部を貫通し外側に雄ネジが形成された管状の吐出管２１を、両側からナット２２で止着して構成されている。そして、この吐出口部２０の吐出管２１の外側に突出した部分に、可撓性で断熱性のホース２３の一端が嵌め込まれて接続されている。
【００３１】
水蒸気噴射体３０は、ガン形状に形成されており、水蒸気を噴射する噴射口３２を有したノズル３１と、ノズル３１を細長状の断熱性の連結管３３を介して支持しノズル３１に至る水蒸気の通路３４を有するとともに把持部３５を有した本体３６とを備えて構成されている。ノズル３１は、図３に示すように、管状に形成されており、噴射口３２がその外周に間隔を隔てて複数縦横に列設して設けられている。
【００３２】
また、水蒸気噴射体３０の本体３６において、図４に示すように、把持部３５には、通路３４に連通しホース２３が接続されるアダプタ３７が突設されている。更に、本体３６には、通路３４を開閉する開閉機構４０が設けられている。
開閉機構４０は、通路３４を開閉するピストン４１と、ピストン４１を通路３４を閉にする側に常時付勢するコイルスプリング４２と、コイルスプリング４２の付勢力に抗してピストン４１を押圧して通路３４を開にする回動可能なトリガ４３とを備えて構成されている。図４中、符号４４は、通路３４の開度を可変にして水蒸気の流量を調整するニードル弁機構である。
【００３３】
この開閉機構４０に関連し、タンク１０には、開閉機構４０が通路３４を閉にしているときにタンク１０内の内圧が所定以上になったとき、タンク１０内の水蒸気を外部に逃がす逃がし弁４５が設けられている。
逃がし弁４５は、周知のものが用いられ、図２には明記しないが、例えば、容器１２の壁部を貫通し外側に雄ネジが形成され内部にコイルスプリングにより付勢されたボール弁を有して構成され、容器１２の壁部の両側からナット４６で止着されている。コイルスプリングの付勢力は調整可能になっている。
【００３４】
従って、この実施の形態に係る害虫駆除装置Ｓを使用するときは、以下のようにする。ここでは、図５に示すように、害虫としてのスズメバチをその巣Ｎにおいて駆除する場合で説明する。一般に、スズメバチ等の蜂は、４６℃以上の温度で殺傷することができる。
【００３５】
先ず、図１に示すように、タンク１０の蓋１３を開け、容器１２内に発熱物質Ｈを収納した収納袋Ｆと水Ｗを入れ、図２に示すように、蓋１３を閉じる。発熱物質Ｈは、収納袋Ｆに収納されているので、取り扱いが容易であり、容器１２に入れ易い。これにより、タンク１０内においては、発熱物質Ｈが水Ｗと発熱反応し水蒸気を発生させる。
この場合、タンク１０内に発熱物質Ｈと水Ｗを入れるだけで熱媒体としての水蒸気を発生させることができるので、熱媒体の発生をきわめて容易に行うことができる。発生した水蒸気は、吐出口部２０及びホース２３を通して水蒸気噴射体３０から噴射可能になる。
【００３６】
この状態で、図５に示すように、携帯部１９としてのショルダーストラップを肩に掛けてタンク１０を持ち、水蒸気噴射体３０の本体３６の把持部３５を把持して、蜂の巣Ｎのあるところに移動し、ノズル３１を蜂の周囲に位置させ、あるいは、蜂の巣Ｎ内にノズル３１を挿入し、トリガ４３を引く。これにより、水蒸気噴射体３０から水蒸気が噴射され、蜂が殺傷されていく。
この場合、ノズル３１においては、水蒸気をノズル３１の外周に設けた複数の噴射口３２から噴射できるので、ノズル３１の軸方向に沿って水蒸気を分散して噴射させることができ、蜂の巣Ｎ内の蜂の殺傷性を向上させることができる。
【００３７】
また、タンク１０内に入れられた発熱物質Ｈ及び水Ｗは密閉されるので、水蒸気を効率よく吐出口部２０から吐出させることができる。更に、容器１２及び蓋１３が内部を断熱するので、水蒸気の温度を高温に保持することができる。更にまた、水蒸気噴射体３０は、把持部３５を把持して操作できるので、それだけ、水蒸気噴射体３０の操作性を向上させることができる。
また、水蒸気を発生させる部分がタンク１０なので、ポンプのような重量物や電気配線がないことから、それだけ持ち運びが容易であり、作業性を大幅に向上させることができる。更に、ポンプのような重量物や電気配線がないので、作業スペースが狭いようなところにも容易に搬送でき、それだけ、汎用性も向上させることができる。更に、タンク１０は携帯部１９としてのショルダーストラップを備えているので、作業者は、タンク１０を携帯しながら、水蒸気噴射体３０を操作できることから、蜂の巣Ｎの状況に応じて動きやすくなり、それだけ、作業性を向上させることができる。
【００３８】
そしてまた、水蒸気噴射体３０の操作においては、トリガ４３の操作により、蜂や蜂の巣Ｎに対して水蒸気を噴射したり停止したりすることができる。そのため、不必要に水蒸気が噴射することがなく、害虫の状況や巣の状況に合わせて蒸気を噴射できるので、それだけ、操作性を向上させることができる。
水蒸気の噴射を停止しているときに、タンク１０内の圧力が高くなっても、逃がし弁４５から水蒸気が逃げるので、タンク１０内の圧力を定圧に保持できることから、安全が図られる。また、ノズル３１から噴射されるのは、水蒸気なので水分量が極めて少ないことから、従来の熱水のように下に落下して周囲を汚す事態を防止することができる。
【００３９】
発熱物質Ｈと水Ｗとの発熱反応が終息したならば、新しい発熱物質Ｈを収容した収納袋Ｆあるいは水Ｗをタンク１０内に入れることにより、水蒸気の発生を継続することができる。また、害虫駆除が終わったならば、タンク１０内からと発熱物質Ｈ及び水Ｗを取り出し、次に備える。
【００４０】
図６には、水蒸気噴射体３０の別の例を示す。この水蒸気噴射体３０は、水蒸気を噴射する噴射口３２を有し、多段入れ子式に伸縮可能に形成されたノズル３１と、ノズル３１を支持しノズル３１に至る水蒸気の通路３４を有するとともに把持部３５を有した本体３６とを備えて構成されている。
ノズル３１は、図３に示すと同様に、噴射口３２をその外周に複数設けて構成されている。本体３６は、伸縮可能な竿状の管体で構成され、基端部がトリガ操作型の開閉機構（図示せず）を有した把持部３５として構成されている。把持部３５の下端にアダプタ（図示せず）を介してホース２３が接続される。
【００４１】
従って、この水蒸気噴射体３０によれば、上記と同様に、害虫としてのスズメバチをその巣Ｎにおいて駆除する場合で説明すると、携帯部１９としてのショルダーストラップを肩に掛けてタンク１０を持ち、水蒸気噴射体３０の把持部３５を把持して、蜂の巣Ｎのあるところに移動し、竿状の本体３６を伸張し、ノズル３１を蜂の周囲に位置させ、あるいは、蜂の巣Ｎ内にノズル３１を挿入し、トリガを操作する。
これにより、水蒸気噴射体３０から水蒸気が噴射され、蜂が殺傷されていく。この場合、本体３６を伸張させることができるので、蜂の巣Ｎが高所にある場合に、対応し易くなる。他の作用，効果は上記と同様である。
【００４２】
図７には、タンク１０の別の例を示す。このタンク１０は、所謂やかん型に形成されている。このタンク１０は、上側に発熱物質Ｈを収納した収納袋Ｆを出し入れ可能な開口１１を有した断熱性の容器１２と、容器１２の開口１１を開閉し閉時に容器１２を密閉する断熱性の蓋１３とを備えて構成されている。容器１２にはホース２３が接続される吐出口部２０が一体形成され、蓋１３には上記と同様の逃がし弁４５が設けられている。
また、容器１２には、タンク１０を持つための携帯部１９としての把手（持ち手）が設けられている。これによれば、把手を把持してタンク１０を持つことができるので、作業者は、タンク１０を携帯しながら、水蒸気噴射体３０を操作できることから、蜂の巣Ｎの状況に応じて動きやすくなり、それだけ、作業性を向上させることができる。他の作用，効果は上記と同様である。
【００４３】
尚、上記実施の形態にあっては、開閉機構４０をトリガ４３を備えた機構で構成したが必ずしもこれに限定されるものではなく、水道の蛇口に設けられるような回転式のバルブで構成するなど、適宜変更して差し支えない。また、上記実施の形態においては、蒸気噴射体３０をノズル３１と開閉機能を有した本体３６とを備えて構成したが、必ずしもこれに限定されるものではなく、例えば、水蒸気噴射体３０をノズル３１で構成し、上記従来と同様に、このノズル３１に直接ホース２３を接続し、このホース２３を長い竿に付設し、この竿を作業者が持って操作するようにしても良く、適宜変更して差支えない。
また、タンク１０の構成も上述したものに限定されるものではなく、適宜変更して差支えない。例えば、蓋１３をねじ手段により容器１２に着脱できるようにして良い。また、必ずしも断熱性を有することを要しない。更に、発熱物質Ｈも上述したものに限定されるものではなく、適宜の材料を選択して良い。
【００４４】
尚また、上記実施の形態では、害虫としてスズメバチを駆除する場合で説明したが、対象とする害虫はスズメバチに限定されるものではなく、種々の害虫に対応できることは勿論である。要するに、本考案は、上述した実施の形態に限定されず、当業者は、本考案の新規な教示及び効果から実質的に離れることなく、これら例示である実施の形態に多くの変更を加えることが容易であり、これらの多くの変更は本考案の範囲に含まれる。
【符号の説明】
【００４５】
Ｓ  害虫駆除装置
Ｎ  蜂の巣
Ｗ  水
Ｈ  発熱物質
Ｆ  収納袋
１０  タンク
１１  開口
１２  容器
１３  蓋
１４  外側壁
１５  内側壁
１６  断熱材
１７  ヒンジ
１８  ロック機構
１９  携帯部
２０  吐出口部
２１  吐出管
２２  ナット
２３  ホース
３０  水蒸気噴射体
３１  ノズル
３２  噴射口
３３  連結管
３４  通路
３５  把持部
３６  本体
３７  アダプタ
４０  開閉機構
４１  ピストン
４２  コイルスプリング
４３  トリガ
４４  ニードル弁機構
４５  逃がし弁
４６  ナット
【図１】
0003223307.tif 000003
【図２】
0003223307.tif 000004
【図３】
0003223307.tif 000005
【図４】
0003223307.tif 000006
【図５】
0003223307.tif 000007
【図６】
0003223307.tif 000008
【図７】
0003223307.tif 000009
【手続補正書】
【提出日】令和1年8月5日(2019.8.5)
【手続補正１】
【補正対象書類名】実用新案登録請求の範囲
【補正対象項目名】請求項３
【補正方法】変更
【補正の内容】
【請求項３】
前記タンクを、前記収納袋を出し入れ可能な開口を有した断熱性の容器と、前記容器の開口を開閉し閉時に前記容器を密閉する断熱性の蓋とを備えて構成したことを特徴とする請求項２記載の害虫駆除装置。